(57)【要約】【課題】筐体内における制御基板の支持強度を確保しつつ、設置に係るレイアウトの複雑化を避け、装置の小型化に寄与することが可能な電子制御ユニット等を提供する。【解決手段】電子制御ユニット１は、バッテリパック３の本体を挟持するバッテリホルダと、制御基板２の板面およびバッテリホルダの底面がバッテリパック３の長手方向に沿った境界線において隣接した状態で載置される並設用載置部１５を有し、並設用載置部１５に制御基板２およびバッテリホルダ１２が固定される固定フレーム１３とを備える。筐体１１は、固定フレーム１３の並設用載置部１５が挿入されるための開口部１１ａ、およびその開口部１１ａに対向する当該筐体１１の内部奥側で並設用載置部１５を保持する奥側保持部を有し、固定フレーム１３は、並設用載置部１５が筐体１１の内部に収納された状態で筐体１１の開口部１１ａを塞いだ状態で筐体１１に固定される密封用前面部１６を有する。【選択図】図１
2014229745.tif 000002
【特許請求の範囲】
【請求項１】
複数の電子部品が実装された電子制御回路を有する板状の制御基板（２）と、
前記電子制御回路に常時電源を供給可能なバックアップバッテリが収容された長柱状のバッテリパック（３）と、
前記制御基板および前記バッテリパックを収納するための筐体（１１）と、
を備える電子制御ユニット（１）であって、
前記バッテリパックの長手方向に沿った底面を有し、前記バッテリパックの本体を挟持する曲げ形状のバッテリホルダ（１２）と、
前記制御基板の板面および前記バッテリホルダの底面が前記長手方向に沿った境界線において隣接した状態で載置される並設用載置部（１５）を有し、該並設用載置部に前記制御基板および前記バッテリホルダが固定される固定フレーム（１３）と、
をさらに備え、
前記筐体は、前記固定フレームの並設用載置部が挿入されるための開口部（１１ａ）、および該開口部に対向する当該筐体の内部奥側で前記並設用載置部を保持する奥側保持部（１１ｂ）を有し、
前記固定フレームは、前記並設用載置部が前記筐体の内部に収納された状態で前記筐体の開口部を塞ぎ、且つ、該開口部を塞いだ状態で前記筐体に固定される密封用前面部（１６）をさらに有していることを特徴とする電子制御ユニット。
【請求項２】
前記密封用前面部は、前記固定フレームがＬ字状をなすように前記並設用載置部と一体成形されていることを特徴とする請求項１に記載の電子制御ユニット。
【請求項３】
前記バッテリホルダは、前記電子制御回路と前記バックアップバッテリとを接続するワイヤー（３ａ）が載置されるワイヤー載置部（１２ｃ）を有し、
前記固定フレームには、前記並設用載置部のうち前記制御基板の板面が載置される基板載置エリアの上方で前記ワイヤー載置部を保持する立設面部（１５ｅ）が設けられていることを特徴とする請求項１または請求項２に記載の電子制御ユニット。
【請求項４】
前記密封用前面部は、前記バッテリパックが前記バッテリホルダに挿入されるための開口部（１６ｄ）を有しており、
前記バッテリパックの先端部に取り付けられ、当該バッテリパックの本体が前記バッテリホルダに挟持された状態で前記密封用前面部の開口部を塞ぐバッテリ取付具（１４）を備え、
前記バッテリ取付具は、前記密封用前面部の開口部の裏面に係止される爪部（１４ｉ）を有することを特徴とする請求項１ないし請求項３のいずれか１項に記載の電子制御ユニット。
【請求項５】
複数の電子部品が実装された電子制御回路を有する板状の制御基板（２）、および前記電子制御回路に常時電源を供給可能なバックアップバッテリが収容された長柱状のバッテリパック（３）を収納するための筐体（１１）と、
前記バッテリパックの長手方向に沿った底面を有し、前記バッテリパックの本体を挟持する曲げ形状のバッテリホルダ（１２）と、
前記制御基板の板面および前記バッテリホルダの底面が前記長手方向に沿った境界線において隣接した状態で載置される並設用載置部（１５）を有し、該並設用載置部に前記制御基板および前記バッテリホルダが固定される固定フレーム（１３）と、
を備え、
前記筐体は、前記固定フレームの並設用載置部が挿入されるための開口部（１１ａ）、および該開口部に対向する当該筐体の内部奥側で前記並設用載置部を保持する奥側保持部（１１ｂ）を有し、
前記固定フレームは、前記並設用載置部が前記筐体の内部に収納された状態で前記筐体の開口部を塞ぎ、且つ、該開口部を塞いだ状態で前記筐体に固定される密封用前面部（１６）をさらに有していることを特徴とする保護ケース（１０）。
【発明の詳細な説明】
【技術分野】
【０００１】
本発明は、複数の電子部品が実装された電子制御回路を有する板状の制御基板などを備える電子制御ユニット、および制御基板などを保護するための保護ケースに関する。
【背景技術】
【０００２】
従来、制御基板を外部の塵や埃、雨滴などから保護するための保護ケースとして、制御基板を収納するための筐体の左右の側面周壁にそれぞれ支持レールを設け、この支持レールに沿って制御基板を筐体の内部に挿入し、筐体にカバーを取り付けるタイプのものが一般的に用いられている（例えば、特許文献１参照）。
【０００３】
また、支持レールの代わりに、筐体の周壁に複数の突起部（リブ）を、制御基板の表裏面の設計上の厚みに応じた間隔をあけて、筐体の奥行き方向に向けて互い違いに（交互に）形成することにより、突起部の所定の寸法間隔に対して板厚が多少厚く形成された制御基板であっても、リブに沿って湾曲させながら挿入し、筐体内で制御基板を確実に固定する構造が考えられている（例えば、特許文献２参照）。
【先行技術文献】
【特許文献】
【０００４】
【特許文献１】特開２０００−２４４１５２号公報
【特許文献２】特開２０００−２４４１５３号公報
【発明の概要】
【発明が解決しようとする課題】
【０００５】
ところで、近年、例えば、ｅＣａｌｌユニットと呼ばれる、車両事故発生時にエアバッグの動作に関する情報や衝突センサ、ＧＰＳ受信機などの検出情報を所定のセンタへ自動送信する電子制御ユニットが開発されている。このような電子制御ユニットは、例えば、車載バッテリからの電源の供給が途絶える等の緊急時にも対応可能に、電子制御回路に常時電源を供給可能なバックアップバッテリ（ＢＵＢ）を備えることとされている。
【０００６】
このため、この種の電子制御装置においては、制御基板だけでなくＢＵＢも保護する必要性があることから、制御基板とともにＢＵＢ（詳細には、ＢＵＢが収容されたバッテリパック）も保護ケースによって保護することができればよいと考えられる。
【０００７】
しかし、従来の保護ケースでは、制御基板が支持レール（またはリブ）によって筐体に固定される構造であったため、例えば図１０（ａ）に示すように、筐体の内部に制御基板とバッテリパックとを横並びに収納させようとして、筐体の左右の側面周壁のうち、一方側の支持レール（またはリブ）だけで制御基板を固定する構造を採用すると、筐体内で制御基板を安定的に支持できなくなる。これにより、例えば、車両の振動や衝撃によって、制御基板が大きく揺れることで、電子制御回路の誤作動や破損が生じてしまう懸念があった。
【０００８】
また、図１０（ｂ）に示すように、バッテリパックを収納するバッテリ用ケースを筐体の上部と一体に設けると、保護ケースが全体として凸形状をなしてしまうため、例えば、車両に保護ケースを設置する場合に、車両に設置された他の装置や部材の配置との兼ね合いから、筐体の凸形状周囲に空いているスペースがデッドスペースになり易い。このため、例えば、車両内の限られたスペースにおいて、電子制御ユニットを設置する際に、全体のレイアウトが複雑化してしまうという懸念があった。
【０００９】
さらには、バッテリ用ケースを筐体と別体に設け、筐体とバッテリ用ケースとを横並びに配置しようとすると、部品点数が増加することにより、製造コストや管理コストの増加に繋がる懸念があった。また、これに対し、図１０（ｃ）に示すように、筐体の内部に、制御基板を配置するスペースとバッテリパックを配置するスペースとを仕切る壁部を設け、さらに壁部にも支持レールを設けることによって、筐体内における制御基板の支持強度を保とうとすると、金型を用いて保護ケースを製造する際に、壁部に金型の抜き勾配ができるため、保護ケースの幅寸法が増してしまい、電子制御ユニット（装置）の大型化に繋がる懸念があった。
【００１０】
本発明は、上記懸念に鑑みてなされたものであり、筐体内における制御基板の支持強度を確保しつつ、設置に係るレイアウトの複雑化を避け、さらに装置の小型化に寄与することが可能な電子制御ユニットおよび保護ケースの提供を目的とする。
【課題を解決するための手段】
【００１１】
上記目的を達成するためになされた本発明は、複数の電子部品が実装された電子制御回路を有する板状の制御基板と、電子制御回路に常時電源を供給可能なバックアップバッテリ（ＢＵＢ）が収容された長柱状のバッテリパックと、制御基板およびバッテリパックを収納するための筐体とを備える電子制御ユニットである。
【００１２】
ここで、本発明では、バッテリパックの長手方向に沿った底面を有し、バッテリパックの本体を挟持する曲げ形状のバッテリホルダと、制御基板の板面およびバッテリホルダの底面が長手方向（バッテリパックの長手方向）に沿った境界線において隣接した状態で載置される並設用載置部を有し、その並設用載置部に制御基板およびバッテリホルダが固定される固定フレームとをさらに備えた。
【００１３】
そして、本発明では、このような構成において、筐体は、固定フレームの並設用載置部が挿入されるための開口部、およびその開口部に対向する当該筐体の内部奥側で並設用載置部を保持する奥側保持部を有し、固定フレームは、並設用載置部が筐体の内部に収納された状態で筐体の開口部を塞ぎ、且つ、このように開口部を塞いだ状態で筐体に固定される密封用前面部をさらに有する構成とした。
【００１４】
このような構成では、並設用載置部に制御基板およびバッテリホルダが固定された状態で固定フレームを筐体の内部に収納させる場合に、固定フレームを筐体の奥側保持部に保持させ、且つ、固定フレームの密封用前面部を筐体に固定させることにより、筐体内において互いに対向する両側から固定フレームを支持することが可能となるため、筐体内における制御基板の支持強度を保つことができる。
【００１５】
また、固定フレームには、制御基板とバッテリホルダ（バッテリパックが固定されたホルダ）とが横並びに配置された状態で隣接して固定されているため、例えば、筐体の形状を矩形状にすることが可能となることから、筐体の周囲にデッドスペースを作らずに済む。さらには、筐体の内部に、制御基板を配置するスペースとバッテリパックを配置するスペースとを仕切る壁部を設ける必要もなくなる。
【００１６】
したがって、本発明によれば、筐体内における制御基板の支持強度を確保しつつ、設置に係るレイアウトの複雑化を避け、さらに装置の小型化に寄与することができる。
なお、本発明において、固定フレームは、並設用載置部と密封用前面部とを有する構成であれば、どのような形状でも構わないが、Ｌ字状に形成されていることが好ましい。即ち、密封用前面部は、固定フレームがＬ字状をなすように並設用載置部と一体成形されているとよい。
【００１７】
このような構成によれば、金型を用いて固定フレームを成型することができ、後から並設用載置部と密封用前面部とを接合させる必要がなくなるため、製造工程を減らすことが可能となる。さらには、固定フレームがＬ字状に形成されることにより、並設用載置部を筐体の内部の底面に支持させ易くなるため、筐体の内部に固定フレームをより好適に配置することができる。
【００１８】
また、本発明において、バッテリホルダは、電子制御回路とバックアップバッテリとを接続するワイヤー（バッテリ用ワイヤー）が載置されるワイヤー載置部を有し、固定フレームには、並設用載置部のうち基板載置エリアの上方でワイヤー載置部を保持する立設面部が設けられていてもよい。
【００１９】
このような構成によれば、筐体の内部において、基板載置エリアの上方の空きスペースを利用して、バッテリ用ワイヤーを配置することが可能となるため、筐体の幅寸法を増やすことなく（装置の小型化を確保しつつ）、筐体の内部に、バッテリ用ワイヤーを好適に収納させることができる。
【００２０】
また、本発明において、密封用前面部は、バッテリパックがバッテリホルダに挿入されるための開口部を有してもよい。さらに、このような構成においては、バッテリパックの先端部に取り付けられ、バッテリパックの本体がバッテリホルダに挟持された状態で密封用前面部の開口部を塞ぐバッテリ取付具を備え、このバッテリ取付具が、密封用前面部の開口部の裏面に係止される爪部を有することが好ましい。
【００２１】
このような構成によれば、このバッテリ取付具を使用することにより、バッテリパックの交換を容易にすることができる。さらには、バッテリ取付具の爪部が密封用前面部の開口部の裏面側部に係止されるため、バッテリパックが密封用前面部の開口部から抜け落ちることを防止できるので、筐体の内部でのバッテリパックの保持性能を高めると共に、バッテリ取付具が密封用前面部の開口部を塞ぐため、筐体の内部を好適に密封することができる。
【００２２】
なお、本発明は、前記した筐体とバッテリホルダと固定フレームとを備える保護ケースとして、市場に流通させることができる。この場合、前記した制御基板とバッテリパックと共に電子制御ユニットを構成することにより、前述の効果と同様の効果を得ることができる。
【図面の簡単な説明】
【００２３】
【図１】電子制御ユニットの全体構成を例示する分解斜視図である。
【図２】筐体の奥側保持部と筐体の内部の構成を例示する説明図である。
【図３】主として固定フレームの構成を例示する斜視図である。
【図４】固定フレームの並設用載置部へのバッテリホルダの取り付け例を示す第１の説明図である。
【図５】固定フレームの並設用載置部へのバッテリホルダの取り付け例を示す第２の説明図である。
【図６】保護ケースへのバッテリパックの収納例を示す上面図である。
【図７】保護ケースへのバッテリパックの収納例を示す斜視図である。
【図８】バッテリ取付具の構成を例示する斜視図である。
【図９】バッテリ取付具の構成を例示する前面図である。
【図１０】本発明の課題を説明するための説明図である。
【発明を実施するための形態】
【００２４】
以下に、本発明の実施形態としての電子制御ユニットについて図面と共に説明する。なお、本実施形態の電子制御ユニットは、車両のダッシュボードの内部に設置され、車両事故発生時にエアバッグの動作に関する情報や衝突センサ、ＧＰＳ受信機などの検出情報を、無線通信により所定のセンタへ自動送信する機能を有するｅＣａｌｌユニットとして構成されている。また、本実施形態の電子制御ユニットは、車両のダッシュボードの内部において、他の装置や部材とともに設置され、特にエアコンのダクトの下方に取り付けられることから、ダクトから漏れる雨滴を受けても支障なく動作しなければならないこととされている。
【００２５】
＜全体構成＞
図１に示すように、本実施形態の電子制御ユニット１は、板状の制御基板２と、長柱状のバッテリパック３と、これら制御基板２およびバッテリパック３を、外部の塵や埃、雨滴（特にエアコンのダクトから漏れる雨滴）などから保護するための保護ケース１０とを備えて構成される。
【００２６】
制御基板２は、複数の電子部品が実装された電子制御回路（非図示）を構成する基板であり、さらに、この電子制御回路に接続された複数のコネクタ４〜６を有している。なお、本実施形態の電子制御回路は、ｅＣａｌｌユニットとしての機能を実現するための処理を行うマイクロコンピュータ（非図示）を有しており、マイクロコンピュータが、コネクタ４〜６のうち少なくとも一つを介して入力された各種信号に基づいて生成した各種情報を示す無線信号を、コネクタ４〜６のうち少なくとも一つを介して外部のセンタへ無線送信するようになっている。
【００２７】
本実施形態では、比較的大きな矩形状のコネクタ４は、メインコネクタであり、例えば、エアバッグを展開させる装置（エアバッグ装置）や衝突センサ等に接続され、エアバッグの動作に関する情報（例えば、エアバッグの展開有無）や衝突センサの検出情報（例えば、車両が受けた衝撃を示す加速度）を取得するために用いられる。また、比較的小さな円筒状のコネクタ５，６のうち、コネクタ５は、例えば、ＧＰＳ受信機に接続され、ＧＰＳ受信機の検出情報（例えば、車両の現在位置）を取得するために用いられ、コネクタ６は、携帯電話網の基地局を介して外部のセンタとの無線通信を行う装置（無線通信装置）に接続され、コネクタ４，５を介して取得した各種情報を外部のセンタに無線送信するために用いられる。
【００２８】
バッテリパック３は、制御基板２上の電子制御回路に常時電源を供給可能なバックアップバッテリ（ＢＵＢ）が収容された長柱状のものである。ここで、ＢＵＢ（非図示）は、いつ如何なるときも電子制御回路に電源を供給するものであってもよいし、車両のエンジン作動時に車載バッテリから電源の供給を受けて充電し、車両のエンジン停止時あるいは車載バッテリからの電源供給が途絶えた時から所定時間、電子制御回路に電源を供給し続けるものであってもよい。なお、ＢＵＢ（非図示）は、車載バッテリからの電源の供給が途絶える等の緊急時にも、電子制御回路に常時電源を供給できるように（換言すれば、コネクタ３，４を介して取得した各種情報を外部のセンタに無線送信できるように）、電子制御ユニット１に備えることとされているものである。
【００２９】
保護ケース１０は、制御基板２およびバッテリパック３を収納させるための筐体１１と、バッテリパック３の本体を保持するバッテリホルダ１２（図４参照）と、制御基板２およびバッテリホルダ１２が固定される固定フレーム１３と、バッテリパック３の先端部に取り付けられるバッテリ取付具１４（図６、図８参照）とを備えて構成される。
【００３０】
そして、バッテリパック３の本体がバッテリホルダ１２（図４参照）に保持され、バッテリホルダ１２（およびバッテリ取付具１４）と制御基板２とが固定フレーム１３に保持された状態で、固定フレーム１３が筐体１１にネジ留め等により取り付けられることにより、制御基板２およびバッテリホルダ１２が保護ケース１０内に、水密に保たれた状態で収納されることが可能になる。
【００３１】
＜保護ケースの各部の構成＞
筐体１１は、ダイカスト等の金型鋳造法により製造され、固定フレーム１３の並設用載置部１５（後述する）が挿入されるための開口部１１ａを有する箱状に形成されている。そして、開口部１１ａの四隅には、固定フレーム１３の密封用前面部１６（後述する）がネジ留め等により接続されるためのネジ孔部が設けられている。
【００３２】
また、図２（ａ）および図２（ｂ）に示すように、筐体１１は、その開口部１１ａに対向する筐体１１の内部奥側で固定フレーム１３の並設用載置部１５（後述する）を保持する１ないし複数（本実施形態では３つ）の奥側保持部１１ｂを有して構成される。例えば、奥側保持部１１ｂは、筐体１１の内部奥面の下方側において、固定フレーム１３の並設用載置部１５の先端部（上面）を上側から付勢するための突起部材１１ｃと、固定フレーム１３の並設用載置部１５の先端部を筐体１１の内部奥面に案内するとともに、固定フレーム１３の並設用載置部１５の先端部（下面）を下側から支持するためのガイド部材１１ｄとを有して構成される。
【００３３】
次に、固定フレーム１３は、プレス加工等により製造され、図３（ａ）〜（ｃ）に示すように、制御基板２の板面およびバッテリパック３（正確には、バッテリホルダ１２（図４参照）の底面）が、バッテリパック３の長手方向に沿った境界線において隣接した状態で載置される並設用載置部１５と、並設用載置部１５が筐体１１の内部に収納された状態で筐体１１の開口部１１ａ（図１参照）を塞ぎ、且つ、開口部１１ａを塞いだ状態で筐体１１に固定される密封用前面部１６とを有して構成される。
【００３４】
並設用載置部１５は、図３（ａ）に示すように、底面が、エンボス加工などにより裏面を型押しして形成された複数の底面凸部１５ａと、複数の底面開口部１５ｂとを有し、この底面凸部１５ａおよび底面開口部１５ｂ以外の底面部分１５ｃが、図２（ｂ）に示すように、筐体１１の内部底面に当接するように構成されている。
【００３５】
また、図３（ａ）に示すように、並設用載置部１５において、密封用前面部１６とは反対側に位置する端部には、筐体１１の内部奥側に設けられた奥側保持部１１ｂの突起部材１１ｃに上側から付勢される先端突起部１５ｄが１ないし複数（本実施形態では３つ）設けられている。このため、図２（ｂ）に示すように、並設用載置部１５の先端部が筐体１１の内部奥側に挿入されると、並設用載置部１５の先端突起部１５ｄが筐体１１の突起部材１１ｃに上側から押さえつけられ、並設用載置部１５の底面部分１５ｃが筐体１１のガイド部材１１ｄに下側から押さえつけられることにより、並設用載置部１５の先端部が筐体１１の内部奥側で保持されるようになっている。
【００３６】
また、図３（ａ）に示すように、並設用載置部１５において、制御基板２およびバッテリホルダ１２（図４参照）の一部を固定するために、幾つかの底面開口部１５ｂの縁部には、上方に向けて立設されて制御基板２の板面が載置される立設面部１５ｅが形成されている。この立設面部１５ｅは、制御基板２の底面と並設用載置部１５の先端突起部１５ｄ（上面）との間に隙間が生じる高さに立設されており、制御基板２がネジ留め等により接続されるためのネジ孔部が設けられている。
【００３７】
また、図３（ａ）に示すように、並設用載置部１５において、制御基板２の位置決めを行うために、バッテリパック３（正確には、バッテリホルダ１２（図４参照）の底面）が載置されるエリア（以下「バッテリ載置エリア」という）とは反対側に位置する端部には、斜め上方に立設されて制御基板２の縁に予め設けられた第１の鋏こん部２ａ（図３（ｂ）参照）に嵌合する第１の位置決め部１５ｆが形成されている。この第１の位置決め部１５ｆは、図３（ｃ）に示すように、立設面部１５ｅのネジ孔部が制御基板２のネジ孔部に一致する角度に立設されている。さらに、並設用載置部１５において、バッテリ載置エリアに隣接する底面開口部１５ｂには、制御基板２において第１の鋏こん部２ａが位置する縁とは反対側に設けられた第２の鋏こん部２ｂ（図３（ｂ）参照）が載置される第２の位置決め部１５ｇが立設されている。
【００３８】
また、図３（ａ）に示すように、並設用載置部１５において、バッテリホルダ１２（図４参照）の位置決めを行うために、制御基板２が載置されるエリア（以下「基板載置エリア」という）とは反対側に位置する端部には、バッテリホルダ１２の形状に沿って立設されてバッテリホルダ１２の側面に接合する接合部１５ｈが形成されている。
【００３９】
具体的には、図４（ａ）に示すように、バッテリホルダ１２は、並設用載置部１５の接合部１５ｈに当接される側が多面形状となるように曲げ加工されており、さらに、これら複数の当接面のうち、底面に対する垂直面には、外方向に突き出した２つの縦割部１２ａと、上斜め方向に立設された立設部１２ｂとが形成されている。そして、並設用載置部１５の接合部１５ｈには、バッテリホルダ１２の縦割部１２ａが嵌め込まれる２つのスリット１５ｉと、バッテリホルダ１２の立設部１２ｂが嵌め込まれる窓部１５ｊとが形成されている。つまり、図４（ｂ）に示すように、バッテリホルダ１２の縦割部１２ａが並設用載置部１５のスリット１５ｉに嵌め込まれるように、バッテリホルダ１２が並設用載置部１５に押し込まれると、バッテリホルダ１２の立設部１２ｂが並設用載置部１５の窓部１５ｊに架かり、バッテリホルダ１２が並設用載置部１５（固定フレーム１３）から抜けないようにロックされるようになっている。なお、バッテリホルダ１２の立設部１２ｂが並設用載置部１５の窓部１５ｊに架かった状態で、バッテリホルダ１２の縦割部１２ａが並設用載置部１５の接合部１５ｈの側面に沿って折り曲げられるようになっている。
【００４０】
また、図３（ａ）に示すように、並設用載置部１５における基板載置エリアとバッテリ載置エリアとの境界線に沿って位置する底面開口部１５ｂの縁部には、制御基板２およびバッテリホルダ１２の一部を支持する立設面部１５ｅとともに、バッテリホルダ１２の側面（Ａ面）に当接される複数（本実施形態では２つ）のフランジ１５ｋが形成されている。
【００４１】
具体的には、図５（ａ）に示すように、バッテリホルダ１２は、制御基板２（図３参照）上の電子制御回路とバッテリパック３（図３参照）内のＢＵＢとを接続するワイヤー３ａ（図６参照）が載置されるワイヤー載置部１２ｃを有する。このワイヤー載置部１２ｃは、曲げ加工により、並設用載置部１５の基板載置エリア側に突き出した平行面１２ｄと、ワイヤー３ａの基板載置エリア側への移動を規制するために平行面１２ｄの縁に立設された規制部１２ｅと、平行面１２ｄの両端から斜め下方に延設され、並設用載置部１５の立設面部１５ｅに載置される載置面１２ｆとを有している。そして、並設用載置部１５の立設面部１５ｅは、並設用載置部１５における基板載置エリアの上方でワイヤー載置部１２ｃの平行面１２ｄを保持するために、ワイヤー載置部１２ｃの載置面１２ｆを下方から支持する位置に形成されている。また、並設用載置部１５のフランジ１５ｋは、バッテリホルダ１２が並設用載置部１５における基板載置エリア側に移動しないように、バッテリホルダ１２の側面（Ａ面）に当接する位置に形成されている。つまり、図５（ｂ）に示すように、バッテリホルダ１２が並設用載置部１５の接合部１５ｈに接合されると、バッテリホルダ１２の側面（Ａ面）が並設用載置部１５のフランジ１５ｋに当接すると共に、バッテリホルダ１２の載置面１２ｆが並設用載置部１５の立設面部１５ｅに載置されることにより、ワイヤー載置部１２ｃが並設用載置部１５の基板載置エリアの上方で保持されるようになっている。なお、バッテリホルダ１２の載置面１２ｆと並設用載置部１５の立設面部１５ｅとは、制御基板２（図３参照）を挟持する状態でネジ留め等により固定される。
【００４２】
ここで、バッテリホルダ１２のワイヤー載置部１２ｃでは、図６（ａ）に示すように、ワイヤー３ａの一端が制御基板２上の電子制御回路に接続された状態で載置され、図６（ｂ）に示すように、バッテリホルダ１２から取り外し可能なバッテリパック３の接続部に他端が接続されることにより、バッテリパック３内のＢＵＢと電気的に導通するようになっている。つまり、バッテリホルダ１２のワイヤー載置部１２ｃでは、ワイヤー３ａがバッテリホルダ１２から取り外された状態のバッテリパック３と接続可能であり、且つ、図６（ｃ）に示すように、バッテリホルダ１２にバッテリパック３が収納された状態で、バッテリパック３内のＢＵＢに接続されたワイヤー３ａが収納される空間が確保されている。
【００４３】
次に、固定フレーム１３の密封用前面部１６は、固定フレーム１３が全体としてＬ字状をなすように並設用載置部１５と一体成形され、図３（ａ）〜（ｃ）に示すように、制御基板２上のコネクタ４〜６が並設用載置部１５側（密封用前面部１６の裏面側）から嵌め込まれる嵌込部１６ａ，１６ｂ，１６ｃと、バッテリパック３がバッテリホルダ１２に挿入されるために設けられた開口部１６ｄとを有している。
【００４４】
なお、密封用前面部１６には、前述したように、バッテリホルダ１２（およびバッテリ取付具１４）と制御基板２とが並設用載置部１５に固定され、並設用載置部１５が筐体１１の内部に収納された状態で、筐体１１の開口部１１ａの四隅のネジ孔部に一致するように配置されるネジ孔部が形成されている。そして、図１に示すように、密封用前面部１６では、このネジ孔部が筐体１１の開口部１１ａの四隅のネジ孔部に一致した状態でネジ留めされることにより、密封用前面部１６が筐体１１の開口部１１ａに固定されるようになっている。
【００４５】
また、密封用前面部１６の開口部１６ｄは、バッテリホルダ１２にセットされる際にバッテリパック３の蓋部３３が密封用前面部１６の表面側から嵌め込まれるように形成されている。
【００４６】
具体的には、図７（ａ）に示すように、バッテリホルダ１２は、バッテリパック３の長手方向に沿った底面を有する。一方、バッテリ取付具１４は、バッテリパック３の蓋部３３に装着されることにより、バッテリパック３の蓋部３３に取り付けられるものである。なお、図７（ｂ）に示すように、バッテリパック３の本体が、バッテリホルダ１２に挿入されて、バッテリホルダ１２の内部奥側まで押し込まれると、図７（ｃ）に示すように、バッテリパック３の蓋部３３に連接する側周面１４ａが、密封用前面部１６の開口部１６ｄに嵌め込まれる。
【００４７】
詳細には、図８（ａ）に示すように、バッテリパック３は、蓋部３３に連接する側周面１４ａと、バッテリ取付具１４を内側に固定する固定枠部１４ｂとを備えて構成される。一方、バッテリ取付具１４は、バッテリパック３の固定枠部１４ｂに軸支される軸支端、およびこの軸支端を中心に回動する回動扉部１４ｃと、回動扉部１４ｃに設けられてバッテリパック３の固定枠部１４ｂに係止されるストッパ１４ｄとを備えて構成される。
【００４８】
バッテリパック３の固定枠部１４ｂは、図８（ｂ）に示すように、その内周壁面がバッテリパック３の本体部に嵌合される形状に加工されており、密封用前面部１６の開口部１６ｄが側周面１４ａに嵌合される形状に外周壁面が加工されている。
【００４９】
バッテリ取付具１４の回動扉部１４ｃは、図９（ａ）および図９（ｂ）に示すように、バッテリパック３の固定枠部１４ｂにおいて中央から片方端にずれた上下位置に軸支されており、その軸支端とは反対側に設けられたレバー１４ｅをユーザが開くことによって、固定枠部１４ｂを含むバッテリパック３をバッテリホルダ１２から引き出すことが可能にされている。
【００５０】
また、バッテリ取付具１４の回動扉部１４ｃは、レバー１４ｅをユーザが閉じることによって、バッテリ取付具１４が密封用前面部１６の開口部１６ｄに固定されるようになっている。具体的には、図８（ａ）および図８（ｂ）に示すように、バッテリパック３の固定枠部１４ｂには、密封用前面部１６の開口部１６ｄの裏面側でストッパ１４ｄに嵌合される嵌合孔１４ｆが形成されており、バッテリ取付具１４の回動扉部１４ｃにおいてレバー１４ｅに対応する上下位置で嵌合孔１４ｆに向けてスライド可能に突設されたバッテリ取付具１４のストッパ１４ｄが嵌合孔１４ｆに嵌合されることにより、バッテリ取付具１４の回動扉部１４ｃとバッテリパック３の固定枠部１４ｂとが連結される。
【００５１】
また、バッテリ取付具１４は、バッテリパック３の固定枠部１４ｂの側周面１４ａが密封用前面部１６の開口部１６ｄに嵌め込まれた状態で、バッテリパック３の固定枠部１４ｂと密封用前面部１６とを連結するためのロック機構１４ｇが設けられている。具体的には、図６（ａ）〜（ｃ）に示すように、ロック機構１４ｇは、バッテリパック３の固定枠部１４ｂ（側周面１４ａ）の上面に設けられており、回動扉部１４ｃの上方側で、バッテリパック３の固定枠部１４ｂの軸支端を中心に回動する回動部材１４ｈと、回動部材１４ｈの先端部に設けられた爪部１４ｉと、バッテリパック３の固定枠部１４ｂ（側周面１４ａ）の上面において爪部１４ｉに対応する位置に設けられた段差部１４ｊとを備えて構成される。
【００５２】
そして、ロック機構１４ｇでは、爪部１４ｉの先端に凸部を有しており、バッテリパック３の固定枠部１４ｂの側周面１４ａが密封用前面部１６の開口部１６ｄに嵌め込まれた状態で、ユーザが回動部材１４ｈを密封用前面部１６の開口部１６ｄに向けて回動させることにより、回動部材１４ｈの爪部１４ｉがバッテリパック３の固定枠部１４ｂの段差部１４ｊに乗り上げられる。このとき、爪部１４ｉの凸部が密封用前面部１６の開口部１６ｄの裏面に係止されることにより、固定枠部１４ｂと密封用前面部１６とが連結される。
【００５３】
＜効果＞
以上説明したように、本実施形態の電子制御ユニット１は、バッテリパック３の長手方向に沿った底面を有し、バッテリパック３の本体を挟持する曲げ形状のバッテリホルダ１２と、制御基板２の板面およびバッテリホルダ１２の底面がバッテリパック３の長手方向に沿った境界線において隣接した状態で載置される並設用載置部１５を有し、その並設用載置部１５に制御基板２およびバッテリホルダ１２が固定される固定フレーム１３とを備える。
【００５４】
そして、電子制御ユニット１において、筐体１１は、固定フレーム１３の並設用載置部１５が挿入されるための開口部１１ａ、およびその開口部１１ａに対向する当該筐体１１の内部奥側で並設用載置部１５を保持する奥側保持部１１ｂを有し、固定フレーム１３は、並設用載置部１５が筐体１１の内部に収納された状態で筐体１１の開口部１１ａを塞ぎ、且つ、このように開口部１１ａを塞いだ状態で筐体１１に固定される密封用前面部１６をさらに有する。
【００５５】
このような構成では、並設用載置部１５に制御基板２およびバッテリホルダ１２が固定された状態で固定フレーム１３を筐体１１の内部に収納させる場合に、固定フレーム１３を筐体１１の奥側保持部１１ｂに保持させ、且つ、固定フレーム１３の密封用前面部１６を筐体１１に固定させることにより、筐体１１内において互いに対向する両側から固定フレーム１３が支持されるため、筐体１１内における制御基板２の支持強度を保つことができる。
【００５６】
また、固定フレーム１３には、制御基板２とバッテリホルダ１２とが横並びに配置された状態で隣接して固定されているため、筐体１１の形状を矩形状にすることが可能となることから、筐体１１の周囲にデッドスペースを作らずに済む。さらには、筐体１１の内部に、制御基板２を配置するスペースとバッテリパック３を配置するスペースとを仕切る壁部を設ける必要もなくなる。
【００５７】
したがって、筐体１１内における制御基板２の支持強度を確保しつつ、設置に係るレイアウトの複雑化を避け、さらに装置の小型化に寄与することができる。
なお、電子制御ユニット１において、固定フレーム１３の密封用前面部１６は、固定フレーム１３がＬ字状をなすように並設用載置部１５と一体成形されているため、金型を用いて固定フレーム１３を成型することができ、後から並設用載置部１５と密封用前面部１６とを接合させる必要がなくなるため、製造工程を減らすことが可能となる。さらには、固定フレーム１３がＬ字状に形成されることにより、並設用載置部１５を筐体１１の内部の底面に支持させ易くなるため、筐体１１の内部に固定フレーム１３をより好適に配置することができる。
【００５８】
また、電子制御ユニット１において、バッテリホルダ１２は、電子制御回路とＢＵＢとを接続するワイヤー３ａが載置されるワイヤー載置部１２ｃを有し、固定フレーム１３には、並設用載置部１５のうち基板載置エリアの上方でワイヤー載置部１２ｃを保持する立設面部１５ｅが設けられている。
【００５９】
このため、筐体１１の内部において、基板載置エリアの上方の空きスペースを利用して、ワイヤー３ａを配置することが可能となるため、筐体１１の幅寸法を増やすことなく（装置の小型化を確保しつつ）、筐体１１の内部にワイヤー３ａを好適に収納させることができる。
【００６０】
また、電子制御ユニット１において、固定フレーム１３の密封用前面部１６は、バッテリパック３がバッテリホルダ１２に挿入されるための開口部１６ｄを有する。そして、バッテリパック３の先端部に取り付けられ、バッテリパック３の本体がバッテリホルダ１２に挟持された状態で密封用前面部１６の開口部１６ｄを塞ぐバッテリ取付具１４を備え、このバッテリ取付具１４が、密封用前面部１６の開口部１６ｄの裏面に係止される爪部１４ｉを有している。
【００６１】
このため、バッテリ取付具１４を使用することにより、バッテリパック３の交換を容易にすることができる。さらには、バッテリ取付具１４の爪部１４ｉが密封用前面部１６の開口部１６ｄの裏面に係止されるため、バッテリパック３が密封用前面部１６の開口部１６ｄから抜け落ちることを防止できるので、筐体１１の内部でのバッテリパック３の保持性能を高めると共に、バッテリ取付具１４が密封用前面部１６の開口部１６ｄを塞ぐため、筐体１１の内部を好適に密封することができる。
【００６２】
［他の実施形態］
以上、本発明の実施形態について説明したが、本発明は上記実施形態に限定されるものではなく、本発明の要旨を逸脱しない範囲において、様々な態様にて実施することが可能である。
【００６３】
例えば、上記実施形態の電子制御ユニット１において、固定フレーム１３は、Ｌ字状に形成されているが、これに限定されるものではなく、並設用載置部１５と密封用前面部１６とを有する構成であれば、どのような形状でも構わない。
【００６４】
また、上記実施形態の電子制御ユニット１では、固定フレーム１３の密封用前面部１６が筐体１１の開口部１１ａにネジ留めで固定される例を説明したが、この例に限定されるものではなく、例えば固定フレーム１３の密封用前面部１６と筐体１１の開口部１１ａとがスナップフィットによって接合されてもよい。
【００６５】
また、上記実施形態の電子制御ユニット１では、制御基板２が固定フレーム１３の並設用載置部１５にネジ留めで固定される例を説明したが、この例に限定されるものではなく、例えば制御基板２と固定フレーム１３の並設用載置部１５とがスナップフィットによって接合されてもよい。
【００６６】
なお、上記実施形態では、保護ケース１０が、電子制御ユニット１としてｅＣａｌｌユニットを構成する例を説明したが、この例に限定されるものではなく、各種の電子制御ユニットを構成するものとして適用され得る。
【符号の説明】
【００６７】
１…電子制御ユニット、２…制御基板、３…バッテリパック、３ａ…ワイヤー、４〜６…コネクタ、１０…保護ケース、１１…筐体、１１ａ…開口部、１１ｂ…奥側保持部、１２…バッテリホルダ、１２ｃ…ワイヤー載置部、１３…固定フレーム、１４…バッテリ取付具、１４ｄ…ストッパ、１４ｇ…ロック機構、１４ｈ…回動部材、１４ｉ…爪部、１４ｊ…段差部、１５…並設用載置部、１５ｅ…立設面部、１５ｋ…フランジ、１６…密封用前面部、１６ｄ…開口部。
【図１】
2014229745.tif 000003
【図３】
2014229745.tif 000004
【図４】
2014229745.tif 000005
【図５】
2014229745.tif 000006
【図６】
2014229745.tif 000007
【図７】
2014229745.tif 000008
【図８】
2014229745.tif 000009
【図９】
2014229745.tif 000010
【図１０】
2014229745.tif 000011
【図２】
2014229745.tif 000012